(57)【特許請求の範囲】
【請求項１】
互いに伸縮可能に連結された一方の部材と他方の部材の両部材からなる伸縮部材の相対移動を規制するロック装置であって、一方の部材にラックを設け、他方の部材に台枠を取り付け、台枠には、ラックに係脱可能に噛合する噛合歯を一側部に突設し且つ他側部にカムを形成したストッパーを枢着し、このストッパーと台枠との間に噛合歯が常時ラックに噛合するように付勢するバネを介装し、台枠に伸縮部材と平行に延びる可動軸を軸方向移動可能で回動可能に取り付けると共に、この可動軸を軸方向の一方側に付勢するばねを可動軸と台枠との間に介装し、この可動軸の所要部にカム係合片を固定し、このカム係合片から一体に突出したシフトレバーを、前記他方の部材に取り付けてある取付台板に設けた位置決め溝に前記ばねの付勢力に抗して係入し、このようにして前記カムに係合してストッパーを噛合歯がラックに噛合するロック位置とバネ付勢力に抗して噛合歯がラックから離脱するロック解除位置とに夫々保持するカム係合片をシフトレバーによって移動操作可能に台枠に取り付けてなる伸縮部材のロック装置。
【請求項２】
シフトレバーは、カム係合片を前記ロック位置及びロック解除位置の他に前記一方の部材の伸張方向の移動のみを許す位置にも移動操作可能としてなる請求項１に記載の伸縮部材のロック装置。
【請求項３】
取付台板の位置決め溝は、可動軸と平行に延びる縦溝部と、縦溝部に連通すると共にこの縦溝部と直交する複数の横溝部とからなるもので、縦溝部の端部をシフトレバーのロック位置とし、一つの横溝部の端部をロック解除位置とし、他の横溝部の端部を伸張方向のみを許す位置としてなる請求項１に記載の伸縮部材のロック装置。
【発明の詳細な説明】
【０００１】
【発明の属する技術分野】
本発明は、伸縮足場板、あるいは伸縮可能な脚立、梯子等において、互いに伸縮可能に連結された一方の部材と他方の部材の両部材からなる伸縮部材の相対移動を規制するロック装置に関する。
【０００２】
【従来の技術及びその課題】
この種の従来の伸縮部材のロック装置は、伸縮部材の一方の部材にラックを設け、他方の部材にはラックに係脱自在に噛合するストッパー等からなる装置本体部を設けてあるものであるが、従来のロック装置では、装置本体部の構造が複雑で部品点数が多いため、この装置本体部を上記他方の部材にコンパクトに組み込むことが困難であると共に、製作コストが高くつくと云う問題があった。
【０００３】
また、従来の伸縮部材のロック装置として、特開２０００−２７５７１号公報に記載されたものがある。このロック装置は、伸縮部材の一方の部材にラックを設け、他方の部材に台枠を取り付け、その台枠に、ラックに係脱自在に噛合するストッパーを枢着すると共に、ストッパーと台枠との間に噛合歯が常時ラックに噛合するように付勢するバネを介装し、回転運動によりストッパーの所要部に係合することによって当該ストッパーを噛合歯がラックに噛合するロック位置とバネ付勢力に抗して噛合歯がラックから離脱するロック解除位置とに夫々保持するためのカムを備えた回転操作体を台枠に枢着してなるもので、回転操作体を回転操作することによって伸縮部材の相対移動を規制するようになっているため、作業台等の使用中にロック装置に大きな衝撃や振動が作用した場合、その衝撃や振動によって回転操作体が不測に回転し、伸縮部材のロック状態が解除されてしまうと云う難点があった。
【０００４】
本発明は、上記に鑑み、装置本体部の構造が簡単で伸縮部材にコンパクトに組み込みでき、製作コストを安くできるロック装置を提供することを目的とする。本発明の他の目的は、使用中に大きな衝撃や振動が作用しても、ロック状態が容易に解除されることのないようにしたロック装置を提供することである。
【０００５】
【課題を解決するための手段】
請求項１に係る発明は、互いに伸縮可能に連結された一方の部材４と他方の部材５の両部材からなる伸縮部材の相対移動を規制するロック装置であって、一方の部材４にラック９を設け、他方の部材５に台枠１０を取り付け、台枠１０には、ラック９に係脱可能に噛合する噛合歯１１を一側部に突設し且つ他側部にカム１２を形成したストッパー１３を枢着し、このストッパー１３と台枠１０との間に噛合歯１１が常時ラック９に噛合するように付勢するバネ１４を介装し、台枠１０に伸縮部材と平行に延びる可動軸１７を軸方向移動可能で回動可能に取り付けると共に、この可動軸１７を軸方向の一方側に付勢するばね２８を可動軸１７と台枠１０との間に介装し、この可動軸１７の所要部にカム係合片１５を固定し、このカム係合片１５から一体に突出したシフトレバー１６を、前記他方の部材５に取り付けてある取付台板１８に設けた位置決め溝１９に前記ばね２８の付勢力に抗して係入し、このようにして前記カム１２に係合してストッパー１３を噛合歯１１がラック９に噛合するロック位置とバネ付勢力に抗して噛合歯１１がラック９から離脱するロック解除位置とに夫々保持するカム係合片１５をシフトレバー１６によって移動操作可能に台枠１０に取り付けてなることを特徴とする。
【０００６】
請求項２は、請求項１に記載の伸縮部材のロック装置において、シフトレバー１６は、カム係合片１５を前記ロック位置及びロック解除位置の他に前記一方の部材４の伸張方向の移動のみを許す位置にも移動操作可能としてなることを特徴とする。
【０００８】
請求項３は、請求項１に記載の伸縮部材のロック装置において、取付台板１８の位置決め溝１９は、可動軸１７と平行に延びる縦溝部ａと、縦溝部ａに連通すると共にこの縦溝部ａと直交する複数の横溝部ｂ，ｃとからなるもので、縦溝部ａの端部ａｏをシフトレバー１６のロック位置とし、一つの横溝部ｂの端部ｂｏをロック解除位置とし、他の横溝部ｃの端部ｃｏを伸張方向のみを許す位置としてなることを特徴とする。
【０００９】
【発明の実施の形態】
次に、本発明に係るロック装置を伸縮足場板に実施した場合について図面を参照して説明する。図１の（Ａ）及び（Ｂ）は、伸縮状態での足場板１の平面図及び正面図、図２の（Ａ）及び（Ｂ）は、伸張状態での足場板１の平面図及び正面図である。これらの図１及び図２から分かるように、伸縮足場板１は、一対の足場板本体２，３からなり、各足場板本体２，３は、足場板幅方向に間隔をおいて配置されたアルミ押出型材製の足場板部材４，５を備え、一方の足場板本体２の足場板部材４は、他方の足場板本体３の足場板部材５間に足場板長さ方向スライド自在に介在されている。
【００１０】
一方の足場板本体２の足場板部材４の足場板長さ方向一端側及び他方の足場板本体３の足場板部材５の足場板長さ方向他端側は、夫々連結部材６，６によって相互に連結されている。また、一方の足場板本体２の足場板部材４の足場板長さ方向他端側及び他方の足場板本体３の足場板部材５の足場板長さ方向一端側は、夫々全足場板部材４，５に亘って外嵌されて足場板長さ方向にスライド自在に支持されたバンドプレート７によって相互に連結されている。従って、両足場板本体２，３は、足場板長さ方向に相対移動自在とされ、それにより足場板１は長さ方向に伸縮自在に構成されている。
【００１１】
一方の足場板本体２における足場板幅方向一端側の足場板部材４（伸縮部材の一方の部材）と、この足場板部材４に対向する、他方の足場板本体３の足場板幅方向一端側の足場板部材５（伸縮部材の他方の部材）との間に、本発明に係るロック装置８が介設されている。以下、このロック装置８について、図３〜図１３を参照して説明する。
【００１２】
図３の（Ａ）は図２の矢印Ａで囲まれた部分の拡大縦断面図で、ロック位置に保持された状態を示し、（Ｂ）は同部分の拡大正面図である。図４の（Ａ）は足場板部材４が伸張のみ可能な状態での拡大正面図であり、（Ｂ）は同部分の拡大正面図であり、図５の（Ａ）はロック解除位置に保持された状態での拡大正面図、（Ｂ）は同部分の拡大正面図である。これらの図３〜図５から分かるように、一方の足場板部材４に長さ方向に亘ってラック９が設けられ、他方の足場板部材５には台枠１０が取り付けられ、この台枠１０には、前記ラック９に係脱可能に噛合する噛合歯１１を一側部に突設し且つその他側部にカム１２を形成したストッパー１３が枢着され、このストッパー１３と台枠１０との間には噛合歯１１が常時ラック９に噛合するように付勢するＷ形キックバネ１４が介装されている。また台枠１０には、ストッパー１３のカム１２に係合して、このストッパー１３を、噛合歯１１がラック９に噛合するロック位置（図３参照）と、一方の足場板部材４の伸張方向移動のみを許す位置（図４参照）と、バネ１４の付勢力に抗して噛合歯１１がラック９から離脱するロック解除位置（図５参照）とに夫々保持するためのカム係合片１５が、シフトレバー１６によって直線方向に移動操作可能に取り付けられている。
【００１３】
上記ロック装置８の構造について更に詳細に説明すると、台枠１０には足場板部材４，５と平行に延びる可動軸１７が軸方向移動可能にして且つ軸芯周りに回動可能に取り付けられると共に、この可動軸１７を一方向に付勢する圧縮コイルバネ２８が可動軸１７と台枠１０との間に介装され、この可動軸１７の所要部にカム係合片１５が固定され、このカム係合片１５にはシフトレバー１６が可動軸１７と直交する方向に一体に突設されている。しかして、このシフトレバー１６は、足場板部材５に取り付けられた取付台板１８の位置決め溝１９に前記バネ２８の付勢力に抗して係入されている。
【００１４】
この位置決め溝１９は、取付台板１８に貫通形成されたもので、シフトレバー１６を前記ロック位置、伸張方向のみを許す位置及びロック解除位置の３位置に位置決めするための互いに連通した縦横複数の溝部ａ，ｂ，ｃからなり、縦溝部ａは可動軸１７の軸方向と平行に延びる溝部であって、この縦溝部ａの端部ａｏにシフトレバー１６をセットすることによって、カム係合片１５がロック位置に保持される。また、横溝部ｂ，ｃは縦溝部ａと夫々直交する溝部であって、横溝部ｂの端部ｂｏにシフトレバー１６をセットすることによって、カム係合片１５が伸張方向のみを許す位置に保持され、また横溝部ｂの端部ｃｏにシフトレバー１６をセットすることによって、カム係合片１５がロック解除位置に保持されることになる。
【００１５】
また、カム係合片１５がロック位置に保持されるようにシフトレバー１６をセットする位置には「ロック」の文字が表示され、またカム係合片１５が足場板部材４の伸張方向のみを許す位置に保持されるようにシフトレバー１６をセットする位置には「伸ばす」の文字が表示され、更にカム係合片１５がロック解除位置に保持されるようにシフトレバー１６をセットする位置には「フリー」の文字が表示されている。このように「ロック」、「伸ばす」及び「フリー」の各文字を所定の位置に表示することによって、シフトレバーの位置決め操作を迅速容易に行うことができる。
【００１６】
図６〜図１２はロック装置８の組立要領を示したもので、その組立にあたり、先ず図６の（Ａ）及び（Ｂ）に示すようにＷ形キックバネ１４をストッパー１３にセットした状態で、このストッパー１３を台枠１０内にその下方より挿入し、図７の（Ａ）に示す状態とする。
【００１７】
尚、台枠１０は、両側一対の側板２０，２０と、両側板２０，２０の上端部どうしをつなぐ上板２１と、両側板２０，２０の下端部から夫々外向きに突出したフランジ部２２，２２とからなる台枠本体１０ａの左右両端に端板２３，２３を取り付けたもので、台枠本体１０ａの上板２１には開口部２１ａ，２１ｂが設けられ、各側板２０にはその下部側に膨出部２０ａが形成されると共に、その上方にピン挿通孔２０ｂが設けられ、各端板２３には可動軸挿通孔２３ａが設けてある。また、ストッパー１３にはピン挿通孔１３ａが設けてある。
【００１８】
図７の（Ａ）に示すように台枠１０内にストッパー１３を挿入した後、同図の（Ｂ）に示すように、台枠１０側のピン挿通孔２０ｂからストッパー１３側のピン挿通孔１３ａに亘ってストッパー枢着ピン２４を挿通し、このピン２４の挿通端部に止めリング２５をセットすることによって、台枠１０にストッパー１３を枢着すると共に、ストッパー１３の噛合歯１１が台枠１０の開口部２１ａからその上方へ常時突出するように付勢した状態とする。
【００１９】
次いで、図８に示すように、一端部に止めリング２６をセットした可動軸１７を、圧縮コイルバネ２８に通して更に端板２３の可動軸挿通孔２３ａから台枠１０内に挿入し、この台枠１０内で可動軸１７をカム係合片１５の挿通孔１５ａに挿通して、このカム係合片１５を止めリング２７，２７によって可動軸１７の所要位置に一体的に固定すると共に、カム係合片１５に突設されたシフトレバー１６の先端部を台枠１０の下端から突出させ、図９に示すような状態とする。この時、可動軸１７は圧縮コイルバネ２８で一端側（図９の左方側）方向へ付勢された状態にあり、従って可動軸１７上のカム係合片１５は、実際には台枠１０内の左端へ寄った位置にあるが、図９においてはバネ２８の付勢力に抗して台枠１０内の左右方向中間位置に保持された状態で示している。
【００２０】
この後、図９に示すように取付台板１８を台枠本体１０ａのフランジ部２２にビス３３（図３〜図５参照）で取り付けて、カム係合片１５から突出したシフトレバー１６を取付台板１８の位置決め溝１９に圧縮コイルバネ２８の付勢力に抗して係入し、こうして取付台板１８を台枠１０に取り付けた状態を図１１〜図１３に仮想線で示す。図１０は、取付台板１８の床面図で、この取付台板１８に貫通形成された位置決め溝１９を示す。図９及び図１０から分かるように、取付台板１８には底面の四隅に凹段部２９が設けてあって、各凹段部２９にはビス挿通孔３０が穿設されている。
【００２１】
上記のようにして下端部に取付台板１８を取り付けた台枠１０を、図３〜図５に示すように足場板部材５の所要部に設けた開口部３１よりその内部に挿入し、取付台板１８の四隅にある凹段部２９のビス挿通孔３０より足場板部材５にビス３２をねじ込んで締め付け固定すればよい。
【００２２】
上述したような構成のロック装置８を備えた伸縮足場板１の長さを調整する場合には、シフトレバー１６を取付台板１８の位置決め溝１９に沿ってスライドさせて、このシフトレバー１６を図５の（Ｂ）に示すように「フリー」の文字が表示された位置にセットすることにより、カム係合片１５がストッパー１３に形成されたカム１２の一端部１２ｃに係合し、それによってストッパー１３はその噛合歯１１がラック９から離脱して台枠１０の開口部２１ａに没入するようなロック解除位置に保持され、それによって一方の足場板部材４が他方の足場板部材５に対し自由に伸縮できる状態となり、従って一方の足場板本体２が他方の足場板本体３に対し伸縮可能となる。
【００２３】
こうしてストッパー１３がロック解除位置に保持されて伸縮足場板１の両足場板本体２，３が伸縮可能になった状態でその長さ調整を行った後、シフトレバー１６を位置決め溝１９に沿ってスライドし、それまでセットされていた「フリー」の表示位置から図３の（Ｂ）に示すように「ロック」の表示位置にセットする。この場合の操作にあたっては、それまで「フリー」の表示位置（ロック解除位置である横溝部ｃの端部ｃｏ）にセットされていたシフトレバー１６を横溝部ｃに沿って可動軸１７周りに所要角度回動して横溝部ｃの端部ｃｏから縦溝部ａに戻せば、可動軸１７に作用するバネ２８の付勢力によって、シフトレバー１６が縦溝部ａに沿って引張され、その端部ａｏに位置する「ロック」の表示位置であるロック位置に自動的にセットされる。
【００２４】
上記のようにシフトレバー１６を位置決め溝１９「ロック」の表示位置にセットすることにより、カム係合片１５がカム１２の他端寄り部１２ａに係合し、それによりストッパー１３はその噛合歯１１がラック９に噛合するロック位置に保持されて、一方の足場板部材４が他方の足場板部材４，５に対し移動不能に固定され、従って一方の足場板本体２が他方の足場板本体３に対し移動不能に固定される。
【００２５】
また、シフトレバー１６を位置決め溝１９に沿ってスライドし、図４の（Ｂ）に示すように「伸ばす」の表示位置にセットすることにより、カム係合片１５がカム１２の一端部１２ｃと他端寄り部１２ａとの中間部に位置して、ストッパー１３はその噛合歯１１がバネ２８の付勢力でラック９に噛合しただけの状態となり、しかして一方の足場板部材４は図４の左方向への移動、即ち伸張方向への移動が可能で、同図の右方向への移動、即ち収縮方向への移動が阻止される。従って、この状態では、一方の足場板本体２は、他方の足場板本体３に対して伸張方向への移動のみ可能となる。
【００２６】
尚、上記のようにシフトレバー１６を位置決め溝１９の「ロック」表示位置から「伸ばす」の表示位置にシフト変更する時は、「ロック」の表示位置（ロック位置である縦溝部ａの端部ａｏ）にセットされていたシフトレバー１６をバネ２８の付勢力に抗して縦溝部ａに沿ってその他端側方向へ若干スライドさせた後、横溝部ｂに沿って可動軸１７周りに所要角度回動して横溝部ｂの端部ｂｏに押し込むようにすればよい。
【００２７】
上述したように、このロック装置８は、伸縮足場板１を構成する一方の足場板本体２の足場板部材４にラック９を設け、他方の足場板本体３の足場板部材５に台枠１０を取り付け、この台枠１０に、ラック９に係脱可能に噛合する噛合歯１１を一側部に突設し且つ他側部にカム１２を形成したストッパー１３を枢着し、このストッパー１３と台枠１０との間に噛合歯１１が常時ラック９に噛合するように付勢するバネ１４を介装すると共に、カム１２に係合してストッパー１３を噛合歯１１がラック９に噛合するロック位置とバネ１４付勢力に抗して噛合歯１１がラック９から離脱するロック解除位置とに夫々保持するカム係合片１５をシフトレバー１６によって移動操作可能に台枠１０に取り付けたものであるから、シフトレバー１６によってカム係合片１５を直線方向に移動操作することによって、任意の位置で確実に足場板１の伸縮を規制することができる。
【００２８】
特に、このロック装置８では、ストッパー１３をロック位置とロック解除位置に夫々保持するためのカム１２をストッパー１３それ自体に形成しているから、ロック装置本体部の部品点数が少なくなり、足場板部材にコンパクトに組み込みできると共に、製作コストを安くすることができる。
【００２９】
また、シフトレバー１６は、ロック位置及びロック解除位置の他に、足場板部材４の伸張方向の移動のみを許す位置にもカム係合片１５を移動操作できるようになっているから、その伸張のみを許す位置にシフトレバー１６をセットすることによって、足場板部材４の伸張操作を容易に行うことができる。
【００３０】
更に、このロック装置８では、台枠１０に足場板部材４，５と平行に延びる可動軸１７をその軸方向移動可能でその軸線周りに回動可能に取り付けると共に、この可動軸１７を軸方向の一方側に付勢するばね２８を可動軸１７と台枠１０との間に介装し、この可動軸１７の所要部にカム係合片１５を固定し、このカム係合片１５から一体に突出したシフトレバー１６を、足場板部材５に取り付けた取付台板１８の位置決め溝１９に圧縮コイルばね２８の付勢力に抗して係入するようになっているから、ロック位置及びロック解除位置更には伸張方向移動のみを許す位置へのシフトレバー１６によるカム係合片１５のシフト切換操作を容易且つ迅速に行うことができると共に、上記圧縮コイルばね２８の付勢力によって、ロック位置及びロック解除位置更には伸張方向移動のみを許す位置におけるシフトレバー１６の保持力が強くなり、従ってそれらの各位置にストッパー１３を確実に保持することができ、足場板１にかかる衝撃や振動によって各位置が不測に切り替わるおそれがない。
【００３１】
特に、シフトレバー１６が位置決め溝１９のロック位置（縦溝部ａの端部ａｏ）に係入されている時に振動や衝撃によってシフトレバー１６がそのロック位置から離れる方向に位置ずれしてロック解除状態になりかけても、このシフトレバー１６には圧縮コイルバネ２８によるロック位置側への付勢力が作用するため、そのバネ付勢力によりシフトレバー１６が当該ロック位置へ引き戻されて、ロック解除が阻止され、それによって作業の安全性が確保される。
【００３２】
以上、伸縮足場板１の伸縮部材、即ち互いに伸縮可能に連結された足場板部材４，５に適用したロック装置８について説明したが、このロック装置８は、図１４に概略示すような脚立３３（又は伸縮梯子でもよい）の伸縮部材、即ち伸縮脚柱３４の互いに伸縮可能に連結された何れか一方の脚柱部材３４ａと他方の脚柱部材３４ｂとからなる伸縮部材に適用することができる。
【００３３】
【発明の効果】
請求項１に係る発明のロック装置は、伸縮部材の一方の部材にラックを設け、他方の部材に台枠を取り付け、台枠には、ラックに噛合する噛合歯を一側部に突設し且つ他側部にカムを形成したストッパーを枢着し、このストッパーと台枠との間に噛合歯が常時ラックに噛合するように付勢するバネを介装すると共に、カムに係合してストッパーを噛合歯がラックに噛合するロック位置とバネ付勢力に抗して噛合歯がラックから離脱するロック解除位置とに夫々保持するカム係合片をシフトレバーによって移動操作可能に台枠に取り付けてなる構成であるから、シフトレバーでカム係合片を直線方向に移動操作することによって、任意の位置で確実に伸縮部材の相対移動を規制することができる。また、このロック装置では、ストッパーをロック位置とロック解除位置とに夫々保持するためのカムをストッパーそれ自体に形成しているから、ロック装置本体部の部品点数が少なくなり、足場板部材にコンパクトに組み込みできると共に、製作コストを安くすることができる。
また、本発明によれば、台枠に伸縮部材と平行に延びる可動軸を軸方向移動可能で回動可能に取り付けると共に、可動軸を軸方向の一方側に付勢するばねを可動軸と台枠との間に介装し、この可動軸の所要部にカム係合片を固定し、このカム係合片から一体に突出したシフトレバーを、前記他方の部材に取り付けた取付台板の位置決め溝に前記ばねの付勢力に抗して係入するようにしたから、ロック位置及びロック解除位置へのシフトレバーによるカム係合片のシフト切換操作を容易且つ迅速に行うことができると共に、上記ばねの付勢力によって、ロック位置及びロック解除位置におけるシフトレバーの保持力が強くなり、従ってそれら各位置にストッパーを確実に保持することができ、伸縮部材にかかる衝撃や振動によって各位置が不測に切り替わるおそれがない。特に、シフトレバーが位置決め溝のロック位置に係入されている時に振動や衝撃によってシフトレバーがそのロック位置から位置ずれしてロック解除状態になりかけても、シフトレバーにはロック位置側へのバネ付勢力が作用するため、そのバネ付勢力でシフトレバーがロック位置へ引き戻されてロック解除が阻止され、それによって作業の安全性が確保される。
【００３４】
請求項２に係る発明によれば、シフトレバーは、ロック位置及びロック解除位置の他に、前記一方の部材の伸張方向の移動のみを許す位置にもカム係合片を移動操作可能としているから、その伸張のみを許す位置にシフトレバーをセットすることによって、足場板部材の伸張操作を容易に行うことができる。
【００３６】
請求項３に係る発明によれば、取付台板の位置決め溝は、可動軸と平行に延びる縦溝部と、縦溝部に連通すると共にこの縦溝部と直交する複数の横溝部とからなるもので、縦溝部の端部をシフトレバーのロック位置とし、一つの横溝部の端部をロック解除位置とし、他の横溝部の端部を伸張方向のみを許す位置としているから、上記各位置へのシフトレバーによるカム係合片のシフト切換操作が迅速容易に行えると共に、ロック位置においてシフトレバーの保持力が有効に発揮され、特にこのロック位置（縦溝部にある）からロック解除位置（横溝部にある）へ至る溝経路が直交しているため、衝撃や振動によってシフトレバーがロック位置からロック解除位置へスライドするようなおそれがなく、きわめて安全に使用できる。
【図面の簡単な説明】
【図１】  （Ａ）及び（Ｂ）は、本発明に係るロック装置を備えた伸縮足場板の収縮状態での平面図及び正面図である。
【図２】  （Ａ）及び（Ｂ）は、同伸縮足場板の伸張状態での平面図及び正面図である。
【図３】  （Ａ）は図２の矢印Ａで囲まれた部分の拡大縦断面図で、ロック位置に保持されたロック装置を示し、（Ｂ）は同ロック装置を取付台板側から見た正面図である。
【図４】  （Ａ）は図２の矢印Ａで囲まれた部分の拡大縦断面図で、伸縮部材が伸張のみ可能な状態でのロック装置を示し、（Ｂ）は同ロック装置を取付台板側から見た正面図である。
【図５】  （Ａ）は図２の矢印Ａで囲まれた部分の拡大縦断面図で、ロック解除位置に保持されたロック装置を示し、（Ｂ）は同ロック装置を取付台板側から見た正面図である。
【図６】  （Ａ）は台枠内にストッパーを挿入している状態を示す正面図、（Ｂ）はその側面図である。
【図７】  （Ａ）は台枠内にストッパーを挿入し終えた状態を示す正面図、（Ｂ）はその側面図であり、ストッパー枢着用のピンを挿入している状態をも示す。
【図８】  可動軸、圧縮コイルバネ、台枠及びシフトレバー付きカム係合片を互いに組み付ける状態を示す分解図である。
【図９】  台枠の下端部に取付台板を取り付けようとする状態を示す正面図である。
【図１０】  取付台板の底面図である。
【図１１】  ロック装置本体部の正面図である。
【図１２】  ロック装置本体部の底面図である。
【図１３】  ロック装置本体部の側面図である。
【図１４】  本発明に係るロック装置を備えた脚立の側面図である。
【符号の説明】
１              伸縮足場板
４，５          足場板部材
８              ロック装置
９              ラック
１０            台枠
１１            噛合歯
１２            カム
１３            ストッパー
１４            圧縮コイルバネ
１５            カム係合片
１６            シフトレバー
１７            可動軸
１８            取付台板
１９            位置決め溝
ａ              位置決め溝の縦溝
ａｏ            縦溝の端部
ｂ              位置決め溝の横溝
ｂｏ            横溝の端部
ｃ              位置決め溝の横溝
ｃｏ            横溝の端部
【図１】
0003869684.tif 000002
【図２】
0003869684.tif 000003
【図３】
0003869684.tif 000004
【図４】
0003869684.tif 000005
【図５】
0003869684.tif 000006
【図６】
0003869684.tif 000007
【図７】
0003869684.tif 000008
【図８】
0003869684.tif 000009
【図９】
0003869684.tif 000010
【図１０】
0003869684.tif 000011
【図１１】
0003869684.tif 000012
【図１２】
0003869684.tif 000013
【図１３】
0003869684.tif 000014
【図１４】
0003869684.tif 000015